(57)【特許請求の範囲】
【請求項１】
水底の構造物を移送する水底移送装置であって、
構造物へ該水底移送装置を取り付ける取り付け手段と、
該水底移送装置本体および構造物を水底から支持する複数の支持ジャッキと、
前記複数の支持ジャッキの一部である第１の移動支持ジャッキを、前記水底移送装置本体に対して水底に沿って一方向に動かす第１の移送ジャッキと、
前記複数の支持ジャッキの一部である第２の移動支持ジャッキを、前記水底移送装置本体に対して水底に沿って他方向に動かす第２の移送ジャッキと、
を備え、
前記支持ジャッキの一つは、前記水底移送装置本体に対して左右に回転可能に取り付けられた回転支持ジャッキであることを特徴とする水底移送装置。
【請求項２】
前記支持ジャッキは、該支持ジャッキに対して揺動可能な足部を備えることを特徴とする請求項１記載の水底移送装置。
【請求項３】
前記取り付け手段は、前記水底移送装置本体を構造物に対し回動可能にする回動手段を備えることを特徴とする請求項１または２記載の水底移送装置。
【請求項４】
前記取り付け手段は前記水底移送装置本体を構造物に脱着可能に取り付けることを特徴とする請求項１〜３のいずれかに記載の水底移送装置。
【請求項５】
前記回転支持ジャッキ以外の支持ジャッキの少なくとも一つは、前記水底移送装置本体に対して、前記回転支持ジャッキを回転中心として回転スライド可能に取り付けられることを特徴とする請求項１〜４の何れかに記載の水底移送装置。
【請求項６】
請求項１〜５のいずれかに記載の水底移送装置を備えた構造物の水底移送方法であって、
複数の支持ジャッキで構造物を水底上に支持した状態から第１の移動支持ジャッキを縮めて水底から離し、前記第１の移送ジャッキを駆動して第１の移動支持ジャッキを移送してから、前記第１の移動支持ジャッキを伸長して水底に降ろし、さらに前記第１の移動支持ジャッキ以外の支持ジャッキを縮めて水底から離し、前記第１の移送ジャッキを駆動することで、前記水底移送装置本体を、前記構造物と共に一方向に移送し、
複数の支持ジャッキで構造物を水底上に支持した状態から第２の移動支持ジャッキを縮めて水底から離し、第２の移送ジャッキを駆動して前記第２の移動支持ジャッキを移送してから、前記第２の移動支持ジャッキを伸長して水底に降ろし、さらに前記第２の移動支持ジャッキ以外の支持ジャッキを縮めて水底から離し、前記第２の移送ジャッキを駆動することで、前記水底移送装置本体を、前記構造物と共に他方向に移送し、
さらに、前記構造物は、複数の前記水底移送装置を備え、そのうちの少なくとも一つを請求項１または５記載の水底移送装置とし、
前記請求項１または５記載の水底移送装置の回転支持ジャッキを回転中心として、他の水底移送装置で前記構造物を一方向或いは他方向に押すことで、前記構造物を前記請求項１または５記載の水底移送装置本体と共に回転させることを特徴とする構造物の水底移送方法。
【請求項７】
前記構造物は沈埋工法に用いる沈埋函であることを特徴とする請求項６記載の構造物の水底移送方法。
【発明の詳細な説明】
【０００１】
【発明の属する技術分野】
本発明は、沈埋函等の水底の構造物を動かす水底移送装置およびこれを用いた構造物の水底移送方法に関する。
【０００２】
【従来の技術】
沈埋工法における沈埋函等、構造物を所定の水底位置に正確に沈設する場合は多々ある。
【０００３】
例えば沈埋函の場合、従来の沈設方法としては、タワーポンツーン方式、プレーシングバージ方式、プレーシングポンツーン方式、自己昇降式作業台船（ＳＥＰ方式）、フローティングクレーン方式等がある。これらはいずれも、ポンツーン、バージ、ＳＥＰ、フローティングクレーンに設置したウインチ及びワイヤーにより沈埋函の吊り下げと位置調整を行う沈設方法である。すなわち、従来の沈設方法においては、いずれも、ウインチでワイヤーの長さを調節することで沈埋函の位置調整を行っている。
【０００４】
【発明が解決しようとする課題】
しかし、上述した従来方法においては、沈設地点の水深が深い場合は必然的にワイヤーが長くなってワイヤーのたるみが大きくなっていた。このような場合は、ウインチ操作によって沈埋函の位置を微調整することは難しくなる。
また、潮流が速い場合は、沈設地点の水深が深い場合と同様の理由から沈埋函の位置の微調整は難しくなる他、潮流の影響によって沈埋函の揺動量が大きくなるため、さらに沈埋函の沈設は難しくなっていた。
これらの理由から、従来の施工実績は、最大水深が３０ｍ程度にとどまっていた。また、潮流の影響が予想される場所においては潮止まり期間に最終的な位置の微調整を行う必要があったため、施工タイミングが制限されていた。
【０００５】
本発明の課題は、沈埋函等の水底の構造物を沈設後に動かしてその位置の調節を可能にする水底移動装置およびこれを用いた構造物の水底移送方法を提供することである。
【０００６】
【課題を解決するための手段】
以上の課題を解決するため、請求項１記載の発明は、
水底の構造物（例えば沈埋函１００）を移送する水底移送装置（１ａ・１ｂ）であって、
構造物へ該水底移送装置を取り付ける取り付け手段（例えば支持部６）と、
水底移送装置本体および構造物を水底から支持する複数の支持ジャッキ（例えば端支柱ジャッキ３・中央支柱ジャッキ５）と、
前記複数の支持ジャッキの一部である第１の移動支持ジャッキ（例えば中央支柱ジャッキ５）を、前記水底移送装置本体に対して水底に沿って一方向に動かす第１の移送ジャッキ（例えば水平ジャッキ７）と、
前記複数の支持ジャッキの一部である第２の移動支持ジャッキ（例えば中央支柱ジャッキ５）を、前記水底移送装置本体に対して水底に沿って他方向に動かす第２の移送ジャッキ（例えば水平ジャッキ７）と、
を備え、
前記支持ジャッキの一つは、前記水底移送装置本体に対して左右に回転可能に取り付けられた回転支持ジャッキ（例えば中央に位置する中央支柱ジャッキ５）であることを特徴とする。
【０００７】
請求項２記載の発明は、請求項１記載の水底移送装置において、
前記支持ジャッキは、該支持ジャッキに対して揺動可能な足部（例えばフーチング３３・５３）を備えることを特徴とする。
【０００８】
請求項３記載の発明は、請求項１または２記載の水底移送装置において、
前記取り付け手段は、前記水底移送装置本体を構造物に対し回動可能にする回動手段（例えば凹部６１および凸部１１１）を備えることを特徴とする。
【０００９】
請求項４記載の発明は、請求項１〜３のいずれかに記載の水底移送装置において、
前記取り付け手段は前記水底移送装置本体を構造物に脱着可能に取り付けることを特徴とする。
【００１１】
請求項５記載の発明は、請求項１〜４の何れかに記載の水底移送装置において、
前記回転支持ジャッキ以外の支持ジャッキの少なくとも一つ（例えば両端に位置する中央支柱ジャッキ５）は、前記水底移送装置本体に対して、前記回転支持ジャッキを回転中心として回転スライド可能に取り付けられることを特徴とする。
【００１２】
これら請求項１〜５記載の発明によれば、請求項６記載の方法により水底の構造物の移送を行える。
【００１３】
すなわち、請求項６記載の発明は、請求項１〜５のいずれかに記載の水底移送装置を備えた構造物の水底移送方法であって、
複数の支持ジャッキで構造物を水底上に支持した状態から第１の移動支持ジャッキを縮めて水底から離し、前記第１の移送ジャッキを駆動して第１の移動支持ジャッキを移送してから、前記第１の移動支持ジャッキを伸長して水底に降ろし、さらに前記第１の移動支持ジャッキ以外の支持ジャッキを縮めて水底から離し、前記第１の移送ジャッキを駆動することで、前記水底移送装置本体を、前記構造物と共に一方向に移送し、
複数の支持ジャッキで構造物を水底上に支持した状態から第２の移動支持ジャッキを縮めて水底から離し、第２の移送ジャッキを駆動して前記第２の移動支持ジャッキを移送してから、前記第２の移動支持ジャッキを伸長して水底に降ろし、さらに前記第２の移動支持ジャッキ以外の支持ジャッキを縮めて水底から離し、前記第２の移送ジャッキを駆動することで、前記水底移送装置本体を、前記構造物と共に他方向に移送することを特徴とする。
【００１４】
請求項６記載の発明によれば、構造物を水底で引きずることなく一方向と他方向に動かせる、すなわち構造物を安定した状態で異なる２つの方向に動かせる。従って、構造物を水底の任意の場所に移送できる。
【００１５】
また、水底が傾いている場合でも、各支持ジャッキのストローク（伸長量）を水底の傾きに合わせて調節することで、構造物を水平に保てる。
【００１６】
ここで、請求項２記載の水底移送装置を用いると、足場は支持ジャッキに対して揺動可能であるため、水底の凹凸（不陸）を足場が吸収する、従って、水底移送装置と構造物とが水底の凹凸で傾くことはない。
【００１７】
また、請求項３記載の水底移送装置を用いると、水底移送装置は、取り付け手段の回動手段により、構造物のたわみ方向に回動可能となる。従って、構造物の自重により該構造物中の水底移送装置取り付け部がたわんでも、回動手段がそのたわみを吸収するため、水底移送装置は傾かず、構造物を安定して支える。
【００１８】
また、請求項４記載の水底移送装置を用いると、構造物を所定の位置に配置した後に、水底移送装置を構造物から切り離して回収することができる。従って、水底移送装置を再利用してそのコストを下げられる。
【００１９】
さらに、請求項６記載の発明は、
前記構造物は、複数の前記水底移送装置を備え、そのうちの少なくとも一つを請求項１または５記載の水底移送装置とし、
前記請求項１または５記載の水底移送装置の回転支持ジャッキを回転中心として、他の水底移送装置で前記構造物を一方向或いは他方向に押すことで、前記構造物を前記請求項１または５記載の水底移送装置本体と共に回転させることを特徴とする。
【００２０】
従って、請求項６記載の発明によれば、回転支持ジャッキを回転中心として構造物を回転させることができる。従って、構造物を水底の任意の位置に位置決めする他、構造物の向きも任意に調節できる。
【００２１】
ここで、請求項１記載の水底移送装置を用いる場合は、回転支持ジャッキ以外の支持ジャッキを縮めることで、水底移送装置本体を回転可能にする。
また、請求項２記載の水底移送装置を用いる場合は、スライド可能な支持ジャッキは、回転ジャッキと共に水底に降りたままとしてもよい。この場合は、該支持ジャッキは水底移送装置本体が回転してもその回転に伴ってスライドするため、回転を妨げない。
【００２２】
請求項７記載の発明は、請求項６記載の構造物の水底移送方法において、前記構造物は沈埋工法に用いる沈埋函（１００）であることを特徴とする。
【００２３】
請求項７記載の発明によれば、沈埋函を水底に仮沈設した後に任意の場所に任意の角度に移送できる。
従って、水深が深い場合や潮流が速い場合等、従来方法では正確に沈埋函を沈設できない条件でも沈埋函を所定の位置に正確に沈設できるため、沈埋工法の適用範囲が広がる。
【００２４】
【発明の実施の形態】
以下、図を参照して本発明の実施の形態を詳細に説明する。
図１に示すように、水底移送装置１ａおよび水底移送装置１ｂは、沈埋函１００の４隅に設けられたブラケット１１０にどちらか一方が取り付けられており、水底の沈埋函１００を所定の位置に移送する装置である。以下の説明中、図中に示すように、互いに沈埋函１００を挟んで対角な２箇所に水底移送装置１ａを計２つ取り付けるものとし、残りの２箇所に水底移送装置１ｂを取り付けるものとする。
【００２５】
まず、構成を説明する。ここで、水底移送装置１ａ・１ｂは概略同じ構成であるため、まず水底移送装置１ａについて説明を行い、次いで水底移送装置１ｂについて水底移送装置１ａと構成の異なる部分を説明する。
【００２６】
図２〜図５の各図に示すように、水底移送装置１ａは、略直方体状の外プレート２下面の対向する２端辺近傍に端支柱ジャッキ３を３本ずつ各辺に沿って固定し、外プレート２下面の端支柱ジャッキ３の２つの列の間に、内プレート４を縦横双方にスライド可能に組付け、この内プレート４に中央支柱ジャッキ５を端支柱ジャッキ３の列と平行に並べて３本取り付け、さらに外プレート２上面に、沈埋函１００を直接支持する支持部６を中央ジャッキ３直上に計３つ取り付けた構成である。ここで、内プレート４は詳細を後述するように、外プレート２下面の水平ジャッキ７によって外プレート２下面に沿ってスライドする。なお、図２においては支持部６を不図示とする。
【００２７】
端支柱ジャッキ３は、図３及び図４に示すように、外周を上部脚柱鋼管３１および下部脚柱鋼管３２に覆われており、上端を直接外プレート２に固定し、下端をフーチング３３に回転接合した構成である。
上部脚柱鋼管３１は、上端を外プレート２に固定接合し、また下端から下部脚柱鋼管３２を出し入れ可能に収納した構成である。また、下部脚柱鋼管３２は、下端に端フーチング３３を揺動可能に接合した構成である。
すなわち、下部脚柱鋼管３２は、端支柱ジャッキ３が伸長すると上部脚柱鋼管３１から延伸し、端支柱ジャッキ３が収縮すると上部脚柱鋼管３１内に納まる。
また、端フーチング３３は下面に滑り止めとしてスパイク３３ａを備える。
【００２８】
内プレート４は、図２、図４、図５に示すように、直方体状のプレートであり、４つの端面のそれぞれに別個の水平ジャッキ７の一端を内蔵固定した構成である。ここで、水平ジャッキ７の他端は、外プレート２下面から突出して内プレート４を囲む水平ジャッキ受け２１に固定されている。
すなわち、内プレート４は、対向する２端面にそれぞれ固定された水平ジャッキ７の一方を収縮するとともに他方を伸長することで一方向に動き、残りの２端面にそれぞれ固定された水平ジャッキ７を同様に駆動することで他方に動く。
【００２９】
中央支柱ジャッキ５は、図３及び図５に示すように、端支柱ジャッキ３と同様に上部脚柱鋼管５１・下部脚柱鋼管５２で覆われ、下端をスパイク５３ａ付のフーチング５３に揺動可能に接合した構成である。
ここで、上部脚柱鋼管５１の上端は閉じており、この上端に中央支柱ジャッキ５の上端が固定している。
また、一列に並んでいる３本の中央支柱ジャッキ５のうち両端の中央ジャッキ５は、双方とも、内プレート４に対して水平かつ任意の方向にスライド可能に接合されている。また、中央に位置する中央支柱ジャッキ５は、内プレート４に対して左右に回転可能に接合されている。
【００３０】
支持部６は、外プレート２すなわち水底移送装置１ａを沈埋函１００に組み付ける組付手段（不図示）を備えるほか、図３及び図５に示すように、支柱の上面に円柱周面状に窪ませた凹部６１を備える。凹部６１は、沈埋函１００のブラケット１１０の円柱周面状に突出した凸部１１１に面接触する。凹部６１の向きは、例えば図中に示すように端支柱ジャッキ３側から中央支柱ジャッキ５に向けて窪ませる。
すなわち、支持部６は、凹部６１の上に凸部１１１を載置する状態で揺動可能にブラケット１１０に組み付けられるが、水底移送装置１ａの沈埋函１００に対する角度は、凹部６１を凸部１１１に対して滑らせることで取り付け後においても、沈埋函１００横方向に対して可変である。
【００３１】
また、水底移送装置１ｂは、水底移送装置１ａにおいて、中央支柱ジャッキ５のすべてを外プレート２に対して固定接合とした構成である。
【００３２】
また、水底移送装置１ａ・１ｂの各部材は、ケーブル（不図示）により母船（不図示）上の制御装置（不図示）から入力される信号に従って制御される。
【００３３】
次に、水底移送装置１ａ・１ｂを用いて水底２００上の沈埋函１００を、既設の沈埋函１００（例えば図６中左側に図示）に連結するまで移送する方法について説明する。なお、図１０〜図１６、図１８〜図２４においては上部脚柱鋼管３１・５１、下部脚柱鋼管３２・５２を不図示としている。
【００３４】
まず、前記した母船上で、浮き付きの回収用ワイヤ（不図示）を水底移送装置１ａ・１ｂに取り付け、クレーンで海上に降ろし、海上に浮いている沈埋函１００に取り付ける。
そして、従来と同様にワイヤ及びウインチを用いて沈埋函１００を仮沈設する（図６参照）。
沈設した際、沈埋函１００の自重によりブラケット１１０が横方向にたわむ場合もあるが、このたわみは凹部６１が凸部１１１に対して滑ることで吸収される。
【００３５】
そして、図７に示すように、一方の水底移送装置１ａを回転中心として、沈埋函１００を回転移送して角度を修正する。
【００３６】
この工程における各水底移送装置１ａ・１ｂの動作は以下の通りである。
すなわち、各水底移送装置１ａ・１ｂにおいて、すべての端支柱ジャッキ３・中央支柱ジャッキ５が伸長して沈埋函１００を支持して安定させた後、すべての端支柱ジャッキ３を収縮させてフーチング３３を水底から離し、３本の中央支柱ジャッキ５のみで沈埋函１００を支持する。
そして、回転中心となる水底移送装置１ａは、中央に位置する中央支柱ジャッキ５を回転中心とし、また、各水平ジャッキ７を伸長して内プレート４を外プレート２に対して固定する。
また、他の水底移送装置１ａ・１ｂは、沈埋函１００に対して垂直に位置する水平ジャッキ７を駆動することで、沈埋函１００をそれぞれ所定方向に所定距離ほど押す。
【００３７】
これらの動作により、沈埋函１００は回転する。
この際、回転中心となる水底移送装置１ａにおいては、図８（Ｃ）に概略を示すように、中央支柱ジャッキ５以外の部分は中央に位置する中央支柱ジャッキ５を中心として、図８（Ｃ）の点線から実線まで動く。また、他の中央支柱ジャッキ５は、内プレート４に対してスライドすることで、水底２００（図７および図８では不図示）に対しては不動である。
また、他の水底移送装置１ａ・１ｂにおいては、中央支柱ジャッキ５および内プレート４以外の部分は、図８（Ａ）（図７中左上の水底移送装置１ｂ）、図８（Ｂ）（図７中右上の水底移送装置１ａ）、図８（Ｄ）（図７中右下の水底移送装置１ｂ）の点線から実線まで、水平ジャッキ７によって動かされるが、中央支柱ジャッキ５および内プレート４は水底２００に対して不動である。なお、図８（Ａ）・（Ｂ）・（Ｄ）においては水平ジャッキ７は不図示とする。
【００３８】
次に、図９に示すように、沈埋函１００を横方向に移送して、据え付け済みの沈埋函１００と当該沈埋函１００の中心軸を一致させる。
【００３９】
この工程における各水底移送装置１ａ・１ｂの動作を、水底移送装置１ａを例に説明する。
まず、図１０に示すように、端支柱ジャッキ３と中央支柱ジャッキ５の双方のすべてを伸長してフーチング３３・５３を水底２００上に降ろして沈埋函１００を安定させた後、図１１に示すように、３本の中央支柱ジャッキ５すべてを縮めてフーチング５３を浮かす。
そして、図１２に示すように、沈埋函１００に対して垂直に配置された水平ジャッキ７を駆動させることで、内プレート４を中央支柱ジャッキ５やフーチング５３と共に沈埋函１００を移送する方向に動かした後、図１３に示すように中央支柱ジャッキ５を伸長してフーチング５３を水底２００上に降ろす。
そして、図１４に示すように６本すべての端支柱ジャッキ３を収縮してフーチング３３を水底２００から浮かした後、図１５に示すように、水平ジャッキ７を図１２とは逆方向に駆動することで、水底移送装置１ａ・１ｂ本体を沈埋函１００と共に、点線から実線まで移送する。そして端支柱ジャッキ３をすべて伸長してフーチング３３を水底２００上に降ろし、図１２に示した状態に戻る。
この図１０〜図１５に示した動作を繰り返すことで、沈埋函１００を横方向に移送する。
【００４０】
次に、図１６に示すように、沈埋函１００を縦方向に移送して、当該沈埋函１００を据え付け済みの沈埋函１００に連結する。
【００４１】
この工程における各水底移送装置１ａ・１ｂの動作を、水底移送装置１ａを例に説明する。
まず、図１７に示すように、端支柱ジャッキ３と中央支柱ジャッキ５のすべてを伸長してフーチング３３・５３を水底２００上に降ろして沈埋函１００を安定させた後、図１８に示すように、３本の中央支柱ジャッキ５すべてを縮めてフーチング５３を浮かす。
そして、図１９に示すように、沈埋函１００に対して平行に設置された水平ジャッキ７を駆動させることで、内プレート４を中央支柱ジャッキ５やフーチング５３と共に沈埋函１００を移送する方向に動かした後、図２０に示すように中央支柱ジャッキ５を伸長してフーチング５３を水底２００上に降ろす。
そして、図２１に示すように６本すべての端支柱ジャッキ３を収縮してフーチング３３を水底２００から浮かした後、図２２に示すように、水平ジャッキ７を図２０とは逆方向に駆動することで、水底移送装置１ａ・１ｂ本体を沈埋函１００と共に移送する。そして端支柱ジャッキ３をすべて伸長してフーチング３３を水底２００上に降ろし、図１７に示した状態に戻る。
この図１７〜図２２に示した動作を繰り返すことで、沈埋函１００を縦方向にする。
【００４２】
そして、図２３に示すように、各水底移送装置１ａ・１ｂを沈埋函１００から切り離し、ワイヤー（不図示）で海面に引き上げて回収して再利用する。
【００４３】
なお、上述した工程において、フーチング３３・５３が端支柱ジャッキ３・中央支柱ジャッキ５に対して揺動可能に接合しているため、水底２００の凹凸は吸収される。
また、水底２００が斜めである場合は、端支柱ジャッキ３・中央支柱ジャッキ５の各々の伸長量を別個に調節することで、沈埋函１００を水平に保てる。
【００４４】
従って、水底移送装置１ａ・１ｂを用いることにより、水底に仮沈設した沈埋函１００を移送して所定の水底位置に容易に沈設できる。
このため、水深が深い場合や、あるいは潮流が速い場合等、従来方法では正確に沈設できなかった施工領域においても正確に沈埋函１００を沈設できることになり、沈埋工法の施工条件が緩和され、その適用範囲は広がる。
【００４５】
なお、以上の実施の形態においては、水底移送装置１ａ・１ｂで沈埋函１００を移送する構成としたが、本発明はこれに限定されるものではなく、水底移送装置１ａ・１ｂを用いて他の構造物を水底上を移送する構成としてもよい。
また、両端の中央支柱ジャッキ５を、中央の中央支柱ジャッキ５を中心に回転スライドのみする構成としてもよい。
また、支持部６の凹部６１を円柱周面状に窪ませたが、球面状に窪ませることで、凹部６１を凸部１１１に対して任意の方向に滑らせることで、水底移送装置１ａ・１ｂの沈埋函１００に対する角度を任意の方向に可変とする構成にしてもよい。
また、端支柱ジャッキ３・中央支柱ジャッキ５の数等も任意であり、その他、具体的な構成についても適宜に変更可能であることは勿論である。
【００４６】
【発明の効果】
請求項１〜５記載の発明によれば、請求項６記載の方法により水底の構造物の移送を行える。
【００４７】
請求項２記載の水底移送装置を用いると、水底移送装置すなわち構造物が水底の凹凸で傾くことはない。
請求項３記載の水底移送装置を用いると、構造物の自重により該構造物中の水底移送装置取り付け部がたわんでも、回動手段がそのたわみを吸収するため、水底移送装置は傾かず、構造物を安定して支える。
請求項４記載の水底移送装置を用いると、水底移送装置を再利用してそのコストを下げられる。
【００４８】
請求項６記載の発明によれば、構造物を水底の任意の位置に位置決めする他、構造物の向きも任意に調節できる。
【００４９】
請求項７記載の発明によれば、水深が深い場合や潮流が速い場合等、従来方法では正確に沈埋函を沈設できない条件でも沈埋函を所定の位置に正確に沈設できるため、沈埋工法の適用範囲が広がる。
【図面の簡単な説明】
【図１】本発明を適用した一実施の形態の水底移送装置を沈埋函に取り付けた構成を示す平面図である。
【図２】水底移送装置の構成を示す一部省略の平面図である。
【図３】図２のＡ−Ａ断面図である。
【図４】図２のＢ−Ｂ断面図である。
【図５】図２のＣ−Ｃ断面図である。
【図６】図２の水底移送装置を用いた沈埋函移送方法を段階的に示す平面図である。
【図７】図６の次工程を示す平面図である。
【図８】（Ａ）・（Ｂ）・（Ｃ）・（Ｄ）ともに図７の工程での水底移送装置の動作を示す平面図である。
【図９】図７の次工程を示す平面図である。
【図１０】図９の工程の詳細を段階的に説明する端面概略図である。
【図１１】図９の工程の詳細を段階的に説明する端面概略図である。
【図１２】図９の工程の詳細を段階的に説明する端面概略図である。
【図１３】図９の工程の詳細を段階的に説明する端面概略図である。
【図１４】図９の工程の詳細を段階的に説明する端面概略図である。
【図１５】図９の工程の詳細を段階的に説明する端面概略図である。
【図１６】図９の次工程を示す平面図である。
【図１７】図１６の工程の詳細を段階的に説明する側面概略図である。
【図１８】図１６の工程の詳細を段階的に説明する側面概略図である。
【図１９】図１６の工程の詳細を段階的に説明する側面概略図である。
【図２０】図１６の工程の詳細を段階的に説明する側面概略図である。
【図２１】図１６の工程の詳細を段階的に説明する側面概略図である。
【図２２】図１６の工程の詳細を段階的に説明する側面概略図である。
【図２３】図１６の次工程を示す平面図である。
【符号の説明】
１ａ・１ｂ  水底移送装置
３          端支柱ジャッキ（支持ジャッキ）
５          中央支柱ジャッキ（第１及び第２の移動支持ジャッキ・回転支持ジャッキ）
６          支持部（取り付け手段）
７          水平ジャッキ（第１及び第２の移送ジャッキ）
３３・５３  フーチング（足部）
６１        凹部（回動手段の一部）
１００      沈埋函
１１１      凸部（回動手段の一部）
【図１】
0004298879.tif 000002
【図２】
0004298879.tif 000003
【図３】
0004298879.tif 000004
【図４】
0004298879.tif 000005
【図５】
0004298879.tif 000006
【図６】
0004298879.tif 000007
【図７】
0004298879.tif 000008
【図８】
0004298879.tif 000009
【図９】
0004298879.tif 000010
【図１０】
0004298879.tif 000011
【図１１】
0004298879.tif 000012
【図１２】
0004298879.tif 000013
【図１３】
0004298879.tif 000014
【図１４】
0004298879.tif 000015
【図１５】
0004298879.tif 000016
【図１６】
0004298879.tif 000017
【図１７】
0004298879.tif 000018
【図１８】
0004298879.tif 000019
【図１９】
0004298879.tif 000020
【図２０】
0004298879.tif 000021
【図２１】
0004298879.tif 000022
【図２２】
0004298879.tif 000023
【図２３】
0004298879.tif 000024